(57)【特許請求の範囲】
【請求項１】
折板屋根上に屋根上設置物を設置するための構造であって、
建築物の骨組みをなし、水平方向に敷設される縦長の構造材と、
複数の山部と谷部が交互に形成された波型形状からなり、当該山部の上面に上向きに取り付けられたボルトを備え、上記構造材の上面に固着されるタイトフレームと、
複数の山部と谷部が交互に形成された波型形状からなり、当該山部に、上記ボルトが挿通される第一ボルト孔と、当該第一ボルト孔の両脇に形成された一対の第一及び第二の挿通孔とを備え、上記タイトフレーム上に取り付けられる折板屋根と、
棒状の第一及び第二のネジ部と、当該第一及び第二のネジ部夫々の一端部から屈曲して延び出た棒状の緊結部とからなり、上記タイトフレームを上記折板屋根に緊結する緊結金具と、を有し、
上記折板屋根が、上記第一ボルト孔を挿通し、第一雌ネジ部材によって締め付けられたボルトによって上記タイトフレーム上に固定され、
上記緊結金具の第一のネジ部が、上記折板屋根の第一挿通孔、及び上記屋根上設置物に予め設けられた取付孔に挿通されると共に、第二雌ネジ部材によって締め付けられ、
上記緊結金具の第二のネジ部が少なくとも、上記折板屋根の第二挿通孔に挿通されると共に、第三雌ネジ部材によって締め付けられ、
上記緊結金具の緊結部が、上記タイトフレームの山部の下面側に潜通され、上記タイトフレームの山部の下面側から、上記タイトフレームの山部を上記折板屋根との間に挟持する、
ことを特徴とする屋根上設置物の設置構造。
【請求項２】
上記屋根上設置物は、構造体と、縦長の略コの字形状からなり、上記構造体を載置する載置部と、当該載置部の両側端から下方に延び出た延出部とを備え、当該構造体を支持する架台と、からなり、
上記ボルトが挿通される第二ボルト孔と、当該第二ボルト孔の両脇に上記緊結金具の第一及び第二のネジ部が夫々挿通する一対の第三及び第四の挿通孔が形成され、上記折板屋根の山部の上面に載置される上面部と、当該上面部の両側端から上記折板屋根の傾斜面に沿って延び出て、上記架台の延出部が当接する支持部とからなり、上記折板屋根上に取り付けられて上記架台を支持する取付金具と、をさらに有し、
上記緊結金具の第一のネジ部が、上記折板屋根の第一の挿通孔、上記取付金具の第三の挿通孔、及び上記架台に予め設けられた取付孔に挿通され、上記取付金具上で第四雌ネジ部材によって締め付けられると共に、上記架台上で第二雌ネジ部材によって締め付けられ、
上記緊結金具の第二のネジ部が少なくとも、上記折板屋根の第二の挿通孔、上記取付金具の第四の挿通孔に挿通されると共に、第三雌ネジ部材によって締め付けられている、
請求項１記載の屋根上設置物の設置構造。
【請求項３】
上記取付金具は、上記支持部の端部から上方に屈曲して形成され、上記架台の延出部を支持するフランジをさらに備える、
請求項２記載の屋根上設置物の設置構造。
【請求項４】
上記構造体と上記架台は、上記屋根上設置物を一体的に構成している、
請求項２又は３に項に記載の屋根上設置物の設置構造。
【請求項５】
上記緊結金具は、上記棒状の第一及び第二のネジ部と、当該第一及び第二のネジ部夫々の一端部から屈曲して延び出て、両端部を連結する棒状の緊結部とからなる、
請求項１乃至４いずれかの項に記載の屋根上設置物の設置構造。
【請求項６】
上記緊結金具の第一及び第二のネジ部は、一方に対して他方が短い、
請求項５記載の屋根上設置物の設置構造。
【発明の詳細な説明】
【技術分野】
【０００１】
本発明は、折板屋根上に屋根上設置物を設置するための構造に関する。
【背景技術】
【０００２】
従来、建築物の屋根上には、太陽光を受けやすい環境や空きスペースを利用して、太陽電池モジュールや太陽熱温水器、あるいは看板など、様々なものが設置されることがある。
【０００３】
この点、建築物の屋根は必ずしもこれらのものを設置することを前提としていないため、設置には屋根の構造に応じた各種の器具を取り付ける必要があるが、特許文献１〜４では、山部と谷部が交互に連続した波型形状の折板屋根に、各種の屋根上設置物を取り付けるための構造が提案されている。
【０００４】
このうち特許文献１では、太陽電池モジュールを支持する縦材を、タイトフレームに固着されたボルトに直接固定する構造が提案されている。
また、特許文献２では、タイトフレームに固着されたボルトに固定金具を取り付け、この固定金具にソーラーパネルを固定する構造が提案されている。
また、特許文献３では、タイトフレームに固着されたボルトに対し、屋根上設置物に取り付けるためのボルトを別途備えた取付具を挟着させ、当該取付具のボルトに各種の屋根上設置物を固定する構造が提案されている。
さらに、特許文献４では、タイトフレームが固定される建物の梁に対し、２本の鉤形の係着ボルトを梁の両側から係着させた上で、当該係着ボルトの一端に直接、あるいは取付金具を介して太陽電池等のパネルを取り付ける構造が提案されている。
【先行技術文献】
【特許文献】
【０００５】
【特許文献１】特開２００２−３０７７４号公報
【特許文献２】特開２０１１−１０６０９４号公報
【特許文献３】特開２０１１−１１１７４５号公報
【特許文献４】特開２０１０−２４６１９号公報
【発明の概要】
【発明が解決しようとする課題】
【０００６】
上記特許文献１〜３によって提案されている構造では、タイトフレームに固着されたボルトに対し、屋根上設置物からの荷重が直接かかってしまい、安定性に欠ける。また、それらの構造で使用する固定用部材の設置作業時に、ボルトが錆びているときにはそのメンテナンス作業が必要となる一方、予めタイトフレームに固着させられたボルトを交換することは容易でない。
また、タイトフレームに固着されたボルトの高さや向きには、ボルト毎に微差がある。そのため、屋根上設置物を屋根上に取り付ける際、タイトフレームに固着された複数のボルトと、屋根上設置物の取付孔等を精度良く嵌め合わせることは難しく、どうしても取付精度が悪くなる。さらに、このように取付精度が悪いと、屋根上設置物を屋根上に設置した後も、ボルトに対する屋根上設置物からの荷重が均一にならず、やはり安定性に欠けることになる。
【０００７】
他方、特許文献４では、係着ボルトを梁に係着させているため、作業性や取付精度、さらには設置の安定性といった特許文献１〜３における問題をある程度、解決している。
しかしながら特許文献４では、梁として用いられるＨ型鋼のフランジ部分の下面側に係着ボルトを係着させる構造をとるため、折板屋根の上面側から係着ボルトを取り付けることができない。そのため、折板屋根の下面側（内側）から係着ボルトを取り付けなければならず、作業性が悪い。特に大きな折板屋根を設置する場合には、必ずしも作業スペースを確保することができず、実際には取り付けられないといった事態が生じ得る。
また、Ｈ型鋼のフランジ部分など、係着ボルトを係着させるための構造が不可欠であり、取付可能な梁に制約がある。
【０００８】
上記特許文献１〜４の問題点に鑑み、本発明は、折板屋根上に屋根上設置物を設置するための構造であって、作業性や取付精度に優れ、安定性の高い構造を提供することを目的とする。
【課題を解決するための手段】
【０００９】
上記目的を達成するため、本発明の一の観点に係る屋根上設置物の設置構造は、折板屋根上に屋根上設置物を設置するための構造であって、建築物の骨組みをなし、水平方向に敷設される縦長の構造材と、複数の山部と谷部が交互に形成された波型形状からなり、当該山部の上面に上向きに取り付けられたボルトを備え、上記構造材の上面に固着されるタイトフレームと、複数の山部と谷部が交互に形成された波型形状からなり、当該山部に、上記ボルトが挿通される第一ボルト孔と、当該第一ボルト孔の両脇に形成された一対の第一及び第二の挿通孔とを備え、上記タイトフレーム上に取り付けられる折板屋根と、棒状の第一及び第二のネジ部と、当該第一及び第二のネジ部夫々の一端部から屈曲して延び出た棒状の緊結部とからなり、上記タイトフレームを上記折板屋根に緊結する緊結金具と、を有し、上記折板屋根が、上記第一ボルト孔を挿通し、第一雌ネジ部材によって締め付けられたボルトによって上記タイトフレーム上に固定され、上記緊結金具の第一のネジ部が、上記折板屋根の第一挿通孔、及び上記屋根上設置物に予め設けられた取付孔に挿通されると共に、第二雌ネジ部材によって締め付けられ、上記緊結金具の第二のネジ部が少なくとも、上記折板屋根の第二挿通孔に挿通されると共に、第三雌ネジ部材によって締め付けられ、上記緊結金具の緊結部が、上記タイトフレームの山部の下面側に潜通され、上記タイトフレームの山部の下面側から、上記タイトフレームの山部を上記折板屋根との間に挟持することを特徴とする。
ここで、雌ネジ部材とは、雄ネジに螺合する雌ネジを備えた部材であって、例えばナットである。
【００１０】
また、上記屋根上設置物は、構造体と、縦長の略コの字形状からなり、上記構造体を載置する載置部と、当該載置部の両側端から下方に延び出た延出部とを備え、当該構造体を支持する架台と、からなり、上記ボルトが挿通される第二ボルト孔と、当該第二ボルト孔の両脇に上記緊結金具の第一及び第二のネジ部が夫々挿通する一対の第三及び第四の挿通孔が形成され、上記折板屋根の山部の上面に載置される上面部と、当該上面部の両側端から上記折板屋根の傾斜面に沿って延び出て、上記架台の延出部が当接する支持部とからなり、上記折板屋根上に取り付けられて上記架台を支持する取付金具と、をさらに有し、上記緊結金具の第一のネジ部が、上記折板屋根の第一の挿通孔、上記取付金具の第三の挿通孔、及び上記架台に予め設けられた取付孔に挿通され、上記取付金具上で第四雌ネジ部材によって締め付けられると共に、上記架台上で第二雌ネジ部材によって締め付けられ、上記緊結金具の第二のネジ部が少なくとも、上記折板屋根の第二の挿通孔、上記取付金具の第四の挿通孔に挿通されると共に、第三雌ネジ部材によって締め付けられているものとしてもよい。
【００１１】
また、上記取付金具は、上記支持部の端部から上方に屈曲して形成され、上記架台の延出部を支持するフランジをさらに備えるものとしてもよい。
【００１２】
また、上記緊結金具は、上記棒状の第一及び第二のネジ部と、当該第一及び第二のネジ部夫々の一端部から屈曲して延び出て、両端部を連結する棒状の緊結部とからなるものとしてもよい。
【００１３】
また、上記緊結金具の第一及び第二のネジ部は、一方に対して他方が短いものとしてもよい。
【００１４】
また、上記構造体と上記架台は、上記屋根上設置物を一体的に構成しているものとしてもよい。
【発明の効果】
【００１５】
本発明によれば、タイトフレーム上に折板屋根を載置した状態で、タイトフレームに固着されたボルト等を介することなく、屋根上設置物が緊結金具にてタイトフレームに直接緊結されるので、取付強度が高く、精度よく取り付けを行うことができるし、屋根上設置物からの荷重が均一になり、安定性に優れる。また、折板屋根の上面側から作業を行うことができるので、作業性がよい。
【図面の簡単な説明】
【００１６】
【図１】本発明の実施形態に係る屋根上設置物の設置構造を示す外観斜視図である。
【図２】本実施形態に係る屋根上設置物の設置構造を示す図であって、（ａ）部分的に透視した斜視図、（ｂ）正面断面図、（ｃ）部分的に透視した側面図である。
【図３】本実施形態に係る屋根上設置物の設置構造を示す分解斜視図である。
【図４】本実施形態に係る屋根上設置物の設置構造における取付金具を示す斜視図である。
【図５】本実施形態に係る屋根上設置物の設置構造において、屋根上設置物を支持する架台を示す斜視図である。
【図６】本実施形態に係る屋根上設置物の設置構造における緊結金具を示す斜視図である。
【図７】本実施形態に係る屋根上設置物の設置構造を形成するための工程のうち、折板屋根を取り付けた状態を示す斜視図である。
【図８】本実施形態に係る屋根上設置物の設置構造を形成するための工程のうち、取付金具を取り付けた状態を示す斜視図である。
【図９】本実施形態に係る屋根上設置物の設置構造を形成するための工程のうち、緊結金具を取り付ける工程を（ａ）〜（ｆ）の順に示す図である。
【図１０】本実施形態に係る屋根上設置物の設置構造において、緊結金具のバリエーションを例示する図である。
【図１１】本実施形態に係る屋根上設置物の設置構造において、緊結金具の他のバリエーションを例示する図である。
【図１２】本実施形態に係る屋根上設置物の設置構造において、屋根上設置物を支持する架台のバリエーションを例示する図である。
【発明を実施するための形態】
【００１７】
次に、本実施形態に係る屋根上設置物の設置構造について、図を参照して説明する。
図１に示されるように、本実施形態に係る屋根上設置物の設置構造は、折板屋根４上に屋根上設置物１を設置するための構造である。
ここで、屋根上設置物１とは、太陽電池モジュールや太陽熱温水器、あるいは看板など、太陽光を受けやすい環境や空きスペースを利用して、屋根上に設置されるものをいう。本実施形態では、屋根上設置物１は、太陽電池の光電変換素子を備えた部分や看板そのものなど、屋根上設置物１の本来的な役割を担う構造体であるパネル１１と、パネル１１を折板屋根４上に支持するための架台１２とから構成されている。
なお、パネル１１と架台１２には夫々、ボルトを締結するためのボルト孔など、互いを取り付けるための取付機構が予め形成されており、当該取付機構により、架台１２上にパネル１１を取り付けることができる。
【００１８】
この設置構造は、図２、図３に示されるように、建築物の梁などを構成する構造材６と、この構造材６上に順次取り付けられたタイトフレーム５、折板屋根４、及び取付金具３と、タイトフレーム５を折板屋根４に緊結すると共に、取付金具３を介して折板屋根４上に架台１２を固定する緊結金具２から構成される。
なお、図２、図３では、一本の構造材６しか図示されていないが、実際には、複数本の構造材６が平行に敷設され、その上にタイトフレーム５を介して折板屋根４が支持されている。また同様に、折板屋根４上には、一本の架台１２しか図示されていないが、実際には、複数本の架台１２が平行に敷設され、当該複数本の架台１２上にパネル１１が取り付けられている。
【００１９】
図３に示されるように、設置構造を構成する各部材の関係性をみると、構造材６上にはタイトフレーム５が固着されている。折板屋根のボルト孔４１ｂ、及び取付金具３の切欠孔３１ｂには、タイトフレーム５に固着されたボルト５１ａが挿通され、このボルト５１ａに第一ナット５１０が締め付けられて、タイトフレーム５上に折板屋根４が固定されている。
【００２０】
折板屋根４の挿通孔４１ｃ、取付金具３の挿通孔３１ｃ、及び架台１２の取付孔１２１ｂには、緊結金具２のネジ部２１が挿通されており、折板屋根４の挿通孔４１ｄ、及び取付金具３の挿通孔３１ｄには、緊結金具２のネジ部２２が挿通されている。また、緊結金具２のネジ部２１、２２の両端を連結する緊結部２３が、タイトフレーム５の山部５１の下面側に潜通されている。
【００２１】
取付金具３の上面部３１の上面側においては、ネジ部２１に第四ナット２１０１が締め付けられると共に、ネジ部２２に第三ナット２２０が締め付けられており、これにより、折板屋根４上に取付金具３が固定されている。また、架台１２の載置部１２１の上面側において、ネジ部２１に第二ナット２１０２が締め付けられており、これにより、取付金具３上に架台１２が固定されている。
【００２２】
このようにネジ部２１に第四ナット２１０１、及び第二ナット２１０２が締め付けられていると共に、ネジ部２２に第三ナット２２０が締め付けられていることにより、タイトフレーム５の山部５１が、下面側に潜通された緊結金具２の緊結部２３と、折板屋根４の山部４１の間に挟みこまれている。これにより、架台１２とタイトフレーム５とが直接緊結された状態となっている。
また、架台１２の延出部１２３は、下面が取付金具３の支持部３２上に当接すると共に、側端部が取付金具３のフランジ３３に支持されている。このように延出部１２３がフランジ３３に支持されることにより、延出部１２３がパネル１１からかかる荷重に負けて外側方向（折筋方向）に開くことがなく、パネル１１は架台１２上にしっかりと支持される。
【００２３】
続いて、上記の設置構造を構成する各部材について詳述する。
構造材６は、建築物の梁などの骨組みである。本実施形態では、縦長のＨ型鋼によって構成され、縦長のフランジ部分を上下に向けた状態に横倒しして配設されている。
【００２４】
タイトフレーム５は、帯状の金属板を所定の箇所で折曲させた波型形状からなり、傾斜部５３を挟んで複数の山部５１と谷部５２が交互に形成されている。
このタイトフレーム５は、構造材６の長さ方向に折筋の向きを合わせ、谷部５２の下面を構造材６の上面に溶接あるいはボルト等で固着させることにより、構造材６上に取り付けられている。
【００２５】
また、タイトフレーム５の山部５１の上面には、ボルト５１ａが上向きに取り付けられている。なお、本実施形態におけるボルト５１ａは、先端が尖った、所謂剣先ボルトであり、折板屋根４のボルト孔４１ｂ等に挿通させやすいようになっているが、先端の尖っていないボルトを用いることもできる。
【００２６】
折板屋根４は、タイトフレーム５の波型形状に即して、傾斜部４３を挟んで複数の山部４１と谷部４２が交互に形成された波型形状からなる金属製の屋根である。
この折板屋根４の山部４１には、タイトフレーム５に固着されたボルト５１ａが挿通するボルト孔４１ｂと、緊結金具２のネジ部２１、２２を挿通させるための挿通孔４１ｃ、４１ｄが形成されている。この挿通孔４１ｃ、４１ｄは、ボルト孔４１ｂの両脇に、タイトフレーム５の折筋方向と直交する向きに並んで形成されている。
【００２７】
この折板屋根４は、タイトフレーム５の山部５１、谷部５２、傾斜部５３に対し、山部４１、谷部４２、傾斜部４３を合わせて、タイトフレーム５上に被せられ、ボルト孔４１ｂには、タイトフレーム５に固着されたボルト５１ａが挿通される。
【００２８】
取付金具３は、折板屋根４上に取り付けられて、架台１２を支持する金具である。
この取付金具３は、図４に示されるように、折板屋根４の山部４１の上面に載置される上面部３１と、上面部３１の両側端から、折板屋根４の傾斜部４３に沿って延び出て、架台１２の延出部１２３に当接する支持部３２と、支持部３２の端部から上方に屈曲して形成され、架台１２の延出部１２３の側端を支持するフランジ３３とからなる。
【００２９】
また、取付金具３の上面部３１には、その中央部分に切欠孔３１ｂが形成されている。この切欠孔３１ｂは、タイトフレーム５のボルト５１ａを挿通させるための孔を構成している。さらにこの上面部３１において、切欠孔３１ｂの両脇には、折板屋根４の挿通孔４１ｃ、４１ｄに対応して、緊結金具２のネジ部２１、２２を挿通させるための挿通孔３１ｃ、３１ｄが形成されている。
【００３０】
なお、本実施形態におけるフランジ３３は、各支持部３２の側端において、中央に一定の間隔を空け、左右一対に分離して設けられているが、一定の間隔を空けることなく、支持部３２の側端全体から延出したものであってもよい。
【００３１】
架台１２は、パネル１１を屋根上に支持する部材である。
この架台１２は、図５に示されるように、縦長の略コの字形状からなり、パネル１１を載置する載置部１２１と、載置部１２１の両側端から下方へ直角に延び出た立設部１２２と、取付金具３の支持部３２及び折板屋根４の傾斜部４３の傾斜に即して、立設部の側端から屈曲して延び出た延出部１２３とを備えている。
【００３２】
載置部１２１には、緊結金具２のネジ部２１を挿通させ、緊結金具２によって取付金具３を介して折板屋根４上に架台１２を固定するための取付孔１２１ｂが形成されている。この取付孔１２１ｂは、折板屋根４のボルト孔４１ｂ、一対の挿通孔４１ｃ、４１ｄに対応して細長い形状に形成され、ボルト孔４１ｂに挿通されたボルト５１ａ、一対の挿通孔４１ｃ、４１ｄに挿通されたネジ部２１、２２をまとめて挿通させられる形状に形成されている。
【００３３】
緊結金具２は、タイトフレーム５に取付金具３を直接固定すると共に、取付金具３上に架台１２を固定し、さらにタイトフレーム５と折板屋根４を緊結する金具である。
この緊結金具２は、図６に示されるように、細長い金属製の丸棒を略Ｊ字状に屈曲してなり、外周面に雄ネジが形成されたネジ部２１、同様に外周面に雄ネジが形成されつつ、ネジ部２１よりも短く構成されたネジ部２２、及び、ネジ部２１、２２の両端を連結する緊結部２３から構成される。
【００３４】
ネジ部２１は、折板屋根４の挿通孔４１ｃ、取付金具３の挿通孔３１ｃ、及び架台１２の取付孔１２１ｂに挿し込まれる。このネジ部２１には、取付金具３の上面部３１の上面側において第四ナット２１０１が締め付けられると共に、架台２の載置部１２１の上面側において、第二ナット２１０２が締め付けられる。
【００３５】
ネジ部２２は、折板屋根４の挿通孔４１ｄ、及び取付金具３の挿通孔３１ｄに挿し込まれる。このネジ部２２には、取付金具３の上面部３１の上面側において、第三ナット２２０が締め付けられる。
【００３６】
ネジ部２１、２２に対し、上記の所定箇所で第四ナット２１０１、第二ナット２１０２、及び第三ナット２２０が締め付けられることにより、タイトフレーム５に取付金具３が直接固定されると共に、取付金具３上に架台２が固定される。
【００３７】
緊結部２３は、タイトフレーム５の折筋方向に直交して、タイトフレーム５の山部５１の下面側に潜通される。
上記のとおり、ネジ部２１、２２に対して第四ナット２１０１、第二ナット２１０２、及び第三ナット２２０が締め付けられると、緊結部２３は、タイトフレーム５の山部５１を折板屋根４の山部４１との間に挟み込み、これにより緊結金具２は、折板屋根４と取付金具３を介して架台１２とタイトフレーム５を直接緊結する。
【００３８】
次に、本実施形態に係る屋根上設置物の設置構造を形成する工程について説明する。
まず、図７に示されるように、構造材６上に固着されたタイトフレーム５上に折板屋根４を被せる。この際には、タイトフレーム５の折筋方向と、折板屋根４の折筋方向を一致させ、タイトフレーム５の山部５１、谷部５２、及び傾斜部５３に夫々、折板屋根４の山部４１、谷部４２、及び傾斜部４３を対応させて被せる。また、折板屋根４の山部４１に形成されているボルト孔４１ｂに、タイトフレーム５の山部５１に固着されたボルト５１ａを挿通させる。
【００３９】
それから、図８に示されるように、折板屋根４上に取付金具３を被せる。この際には、折板屋根４の折筋方向と、取付金具３の折筋方向を一致させ、折板屋根４の山部４１と傾斜部４３に夫々、取付金具３の上面部３１と支持部３２を対応させて被せる。また、折板屋根４のボルト孔４１ｂに挿通されたボルト５１ａを、上面部３１の切欠孔３１ｂに挿通させると共に、折板屋根４の挿通孔４１ｃ、４１ｄの位置に夫々、上面部３１の挿通孔３１ｃ、３１ｄを対応させる。
【００４０】
そして、切欠孔３１ｂに挿通させたボルト５１ａに第一ナット５１０を締め付けると共に、緊結金具２を取り付ける。
緊結金具２の取り付けはまず、図９（ａ）、（ｂ）に示されるように、ネジ部２２を、取付金具３の挿通孔３１ｃと折板屋根４の挿通孔４１ｃに上面側から挿通させる。さらに、ネジ部２２と緊結部２３の境目あたりでは、その屈曲形状にしたがって緊結金具２を傾けながら入れていき、続けて緊結部２３を真っ直ぐに挿通させる。
【００４１】
緊結部２３を挿通させていき、図９（ｃ）、（ｄ）に示されるように、挿通孔３１ｃと挿通孔４１ｃに、ネジ部２１と緊結部２３の境目あたりが入ったときには、またその屈曲形状にしたがって緊結金具２を傾けながら入れていき、続けてネジ部２１を真っ直ぐに挿通させる。
【００４２】
そこから今度は、図９（ｅ）に示されるように、緊結金具２を上方に引き上げて、ネジ部２２を取付金具３の挿通孔３１ｄと折板屋根４の挿通孔４１ｄに下面側から挿通させる。
そして、図９（ｆ）に示されるように、ネジ部２１、２２に夫々、第四ナット２１０１、第三ナット２２０を締め付けることで、緊結金具２により、タイトフレーム５、折板屋根４、取付金具３が一体的に固定された状態となる。
【００４３】
続いて、図２に示されるように、折板屋根４上に固定された取付金具３上に、架台１２を被せる。この際には、取付金具３の上面部３１と支持部３２に夫々、架台１２の載置部１２１と延出部１２３が当接するように、取付金具３や折板屋根４の折筋方向と、架台１２の長さ方向とが直交する向きに架台１２を向けて、取付金具３上に架台１２を被せる。
また、架台１２の取付孔１２１ｂに対して、取付金具３の切欠孔３１ｂや挿通孔３１ｃ、３１ｄ、及び折板屋根４のボルト孔４１ｂや挿通孔４１ｃ、４１ｄを対応させて、取付孔１２１ｂに緊結金具２のネジ部２１を挿通させる。
【００４４】
さらに、架台１２の載置部１２１の上面において、ネジ部２１に第二ナット２１０２を締め付ける
これにより架台１２は、延出部１２３が取付金具３の支持部３２及びフランジ３３によって支持された状態に固定される。
【００４５】
このように取付金具３を介して折板屋根４上に架台１２を敷設した後、架台１２が備える取付機構と、パネル１１が備える取付機構とによって、架台１２上にパネル１１を取り付ければ、図１に示されるように、パネル１１と架台１２によって一体的に構成された屋根上設置物１が折板屋根４上に設置された状態となる。
【００４６】
以上の本実施形態に係る屋根上設置物の設置構造によれば、タイトフレーム５の山部５１は、緊結金具２のネジ部２１、２２によって両側から挟み込まれると共に、緊結部３によって折板屋根４の山部４１や取付金具３との間に直接挟み込まれる。その結果、タイトフレーム５と折板屋根４や取付金具３は、互いに対して上下左右いずれの向きにも動くことなく、且つ流れ方向に揃った向きと高さで固定される。
また、架台１２は緊結金具２によって、延出部１２３を取付金具３の支持部３２及びフランジ３３上にしっかりと固定される。特に、支持部３２の側端から上方に屈曲して形成されたフランジ３３により、架台１２は、取付金具３の折筋方向への動きがより強固に規制される。
【００４７】
以上の本実施形態に係る屋根上設置物の設置構造においては、略Ｊ字形状の緊結金具２を用いたが、緊結金具２は他の形状によっても同様の役割を果たし得るものであり、その例を図１０に示す。
図１０（ａ）〜（ｅ）に示す緊結金具７０、７１、７２、７３、７４では、一端側のネジ部７０１、７１１、７２１、７３１、７４１と、他端側のネジ部７０２、７１２、７２２、７３２、７４２の長さが同一に構成されている。
これにより、緊結金具７０を例にとると、架台１２の載置部１２１上において、長い方のネジ部２１のみを第二ナット２１０２で締め付けた緊結金具２とは異なり、両端のネジ部７０１、７０２を、架台１２の載置部１２１上において、第二ナット２１０２と、別途用意したナットとで締め付けることができる。
【００４８】
一方、図１０（ｆ）〜（ｉ）に示す緊結金具７５、７６、７７、７８では、緊結金具２と同様、一端側のネジ部７５２、７６２、７７２、７８２の長さが、他端側のネジ部７５１、７６１、７７１、７８１の長さよりも短く構成されている。
これにより、折板屋根４の挿通孔４１ｃ、４１ｄや取付金具３の挿通孔３１ｃ、３１ｄに対し、短い方のネジ部７５２、７６２、７７２、７８２から挿通させやすくなっている。
【００４９】
また、図１０（ｂ）、（ｆ）に示される緊結金具７１、７５では、タイトフレーム５の山部５１の下面側に、ボルト５１ａの頭部が突出する場合等に対応して、緊結部７１３、７５３の中央部分が端部に比して下方に凹んだ形状をとっている。
【００５０】
また、図１０（ｃ）、（ｇ）に示される緊結金具７２、７６では、緊結部７２３、７６３と、ネジ部７２１、７２２、７６１、７６２の境目が直角ではなく、二段階で屈曲しているため、折板屋根４の挿通孔４１ｃ、４１ｄや取付金具３の挿通孔３１ｃ、３１ｄにネジ部７２２、７７２を挿通させる際に挿通させやすい。
【００５１】
また、図１０（ｄ）、（ｅ）、（ｈ）、（ｉ）に示される緊結金具７３、７４、７７、７８では、緊結部７３３、７４３、７７３、７８３の中央部分が屈曲して、上側（タイトフレーム５側）に突出した構造をとっている。これらは、適用するタイトフレーム５の断面形状に応じて使い分けられるものである。
【００５２】
さらに、以上の本実施形態に係る屋根上設置物の設置構造において用いた緊結金具２は、分離した２つの部材によって構成しても同様の役割を果たし得るものであり、その例を図１１に示す。
図１１（ａ）〜（ｈ）に示される緊結金具８０、８１、８２、８３、８４、８５、８６、８７は夫々、既述した緊結金具７０、７２、７３、７４、２、７６、７７、７８を、緊結部７０３、７２３、７３３、７４３、２３、７６３、７７３、７８３の中央において分離した、一対の金具片からなる。したがって、例えば緊結金具８０は、緊結金具片８０ａと緊結金具片８０ｂとからなり、緊結金具片８０ａの緊結部８０３ａと、緊結金具片８０ｂの緊結部８０３ｂの端部同士を当接させることで、緊結金具７０と同様の形状を構成することができる。
【００５３】
なお、タイトフレーム５、折板屋根４、及び取付金具３に対して、このように構成される緊結金具８０、８１、８２、８３、８４、８５、８６、８７を取り付けるときは、例えば緊結金具８０であれば、折板屋根４の挿通孔４１ｃ及び取付金具３の挿通孔３１ｃに、緊結金具片８０ａを緊結部８０３ａから挿通させる。そして、緊結部８０３ａをタイトフレーム５の山部５１の下面に当接させた上、ネジ部８０１に第四ナット２１０１を締め付ける。さらに同様にして、折板屋根４の挿通孔４１ｄ及び取付金具３の挿通孔３１ｄに、緊結金具片８０ｂを緊結部８０３ｂから挿通させて、緊結部８０３ｂをタイトフレーム５の山部５１の下面に当接させた上、ネジ部８０２に第三ナット２２０を締め付ける。
このように取り付けて、緊結部８０３ａと８０３ｂの端部同士が当接すると、緊結金具片８０ａと緊結金具片８０ｂが一体になって緊結金具７０と同様の形状を構成し、タイトフレーム５と折板屋根４を緊結することができる。
【００５４】
また、以上の本実施形態において、架台１２の形状は特に上記に限定されるものではないが、取付金具３によって支持するのに好適な形状を備えた架台１２の他の例を図１２に示す。
図１２（ａ）に示される架台９０は、縦長の断面コの字形状からなり、パネル１１を載置する載置部９０１と、載置部９０１の両側端から下方へ直角に屈曲して延び出た延出部９０２とを備えている。
この架台９０は、取付金具３上に取り付けられた際、延出部９０２の端部が、取付金具３の支持部３２とフランジ３３の間に形成される屈曲部分に嵌まり込んで固定される。
【００５５】
また、図１２（ｂ）に示される架台９１は、パネル１１を載置する載置部９１１と、載置部９１１の両側端から下方へ直角に折曲して延び出た立設部９１２と、立設部９１２の側端から載置部９１１と平行に内側へ延び出した下面部９１３と、取付金具３の支持部３２及び折板屋根４の傾斜部４３の傾斜に即して、下面部９１３の側端から外側へ屈曲して延び出た延出部９１３とを備えている。
この架台９１は、取付金具３上に取り付けられた際、延出部９１３が取付金具３の支持部３２に当接し、フランジ３３によって支持された状態に固定される。
【００５６】
また、図１２（ｃ）に示される架台９２は、パネル１１を載置する載置部９２１と、載置部９２１の両側端から下方へ直角に折曲して延び出た立設部９２２と、取付金具３のフランジ３３の傾斜に即して、立設部９２２の側端から内側へ屈曲して延び出た延出部９２３とを備えている。
この架台９２は、取付金具３上に取り付けられた際、延出部９２３が取付金具３のフランジ３３上に当接且つ支持された状態に固定される。
【００５７】
なお、以上の本実施形態においては、屋根上設置物１は、別部材からなるパネル１１と架台１２が、それぞれが備える取付機構によって一体に構成されるものとしたが、これに限らず、パネル１１と架台１２は一体不可分に構成されたものであってもよい。
【００５８】
また、以上の本実施形態においては、緊結金具２のネジ部２１を架台１２の取付孔１２１ｂに挿通させてネット２１０２を締め付けることにより、取付金具３上に架台１２を固定するものとしたが、緊結金具２とは異なる金具によって、取付金具３上に架台１２を固定するものとしてもよい。
【００５９】
また、以上の本実施形態においては、折板屋根４の山部４１には、タイトフレーム５に固着されたボルト５１ａを挿通させるためのボルト孔４１ｂを予め形成しておくものとしたが、これに限らず、タイトフレーム５上に折板屋根４を被せる際に、ボルト５１ａに折板屋根４を突き破らせ、ボルト孔４１ｂが形成されるようにすることもできる。
【符号の説明】
【００６０】
１        屋根上設置物
１１      パネル
１２      架台
１２１    載置部
１２１ｂ  取付孔
１２２    立設部
１２３    延出部
２        緊結金具
２１      ネジ部
２１０１  第四ナット
２１０２  第二ナット
２２      ネジ部
２２０    第三ナット
２３      緊結部
３        取付金具
３１      上面部
３１ｂ    切欠孔
３１ｃ    挿通孔
３１ｄ    挿通孔
３２      支持部
３３      フランジ
４        折板屋根
４１      山部
４１ｂ    ボルト孔
４１ｃ    挿通孔
４１ｄ    挿通孔
４２      谷部
４３      傾斜部
５        タイトフレーム
５１      山部
５１ａ    ボルト
５１０    第一ナット
５２      谷部
５３      傾斜部
６        構造材
７０、７１、７２、７３、７４、７５、７６、７７、７８      緊結金具
７０１、７０２、７１１、７１２、７２１、７２２、７３１、７３２、７４１、７４２、７５１、７５２、７６１、７６２、７７１、７７２、７８１、７８２      ネジ部
７０３、７１３、７２３、７３３、７４３、７５３、７６３、７７３、７８３      緊結部
８０、８１、８２、８３、８４、８５、８６、８７      緊結金具
８０ａ、８０ｂ、８１ａ、８１ｂ、８２ａ、８２ｂ、８３ａ、８３ｂ、８４ａ、８４ｂ、８５ａ、８５ｂ、８６ａ、８６ｂ、８７ａ、８７ｂ      緊結金具片
８０１、８０２、８１１、８１２、８２１、８２２、８３１、８３２、８４１、８４２、８５１、８５２、８６１、８６２、８７１、８７２      ネジ部
８０３ａ、８０３ｂ、８１３ａ、８１３ｂ、８２３ａ、８２３ｂ、８３３ａ、８３３ｂ、８４３ａ、８４３ｂ、８５３ａ、８５３ｂ、８６３ａ、８６３ｂ、８７３ａ、８７３ｂ      緊結部
９０、９１、９２      架台
９０１、９１１、９２１      載置部
９０１ｂ、９１１ｂ、９２１ｂ      取付孔
９０２、９１４、９２３      延出部
９１２、９２２      立設部
９１３      下面部
【図１】
0005961841.tif 000002
【図２】
0005961841.tif 000003
【図３】
0005961841.tif 000004
【図４】
0005961841.tif 000005
【図５】
0005961841.tif 000006
【図６】
0005961841.tif 000007
【図７】
0005961841.tif 000008
【図８】
0005961841.tif 000009
【図９】
0005961841.tif 000010
【図１０】
0005961841.tif 000011
【図１１】
0005961841.tif 000012
【図１２】
0005961841.tif 000013